(57)【要約】      （修正有）【課題】ゴルフクラブのアイアンクラブは、１セットが１０本にあり、これを    並べて展示する展示用支持装置の基幹部材は細巾長尺となり、一定の    強度が必要であるためこれまでは、主に金属が用いられて来た。ところ    が金属の支持部の場合、置いた展示物に傷付くことがあり、また金属は    不透明なため、展示物の商品が遮蔽され、展示用支持装置が存在感を    持ち、展示物が目立ちにくいということもあった。上記を解決するため、一定の強度を備えた透明なプラスチックを用い、かつ商品に傷がつかない展示用支持装置を提供する。【解決手段】  これまで航空機の窓などの素材として使われてきた強靭性を持つ、エンジニアリングプラスチックの中で、透明性のすぐれたポリカーボネイトを、この基幹部材２８の素材として用い、かつ、補強用金属板３０と組み合わせ、透明性をもち、展示物を目立たせ、かつ強度や安全性も兼ね備えた展示用支持装置を作った。【選択図】図５
2007244824.tif 000002
【特許請求の範囲】
【請求項１】
ゴルフクラブや釣具などの商品の展示用支持装置に於いて、プラスチック素材を該商品の基部材として、金属素材を軸受部や補強部として用い、該プラスチック素材と該金属素材を組み合わせて基幹部材構成したことを特徴とする商品の展示用支持装置
【請求項２】
前記プラスチック素材としてポリカーボネイトを用いたことを特徴とする請求項１に示した商品の展示用支持装置
【請求項３】
前記基部材は複数の頭部形状をもつ前記商品のシャフトや軸を支持する複数の穴で構成され、該穴の間隔は不等間隔にし、該商品を支持した時、該商品の該頭部の相互の間隔が略等間隔に並ぶように構成したことを特徴とする請求項１に示した商品の展示用支持装置
【請求項４】
前記穴の形状を、断面形状が円形状である前記商品のシャフトを支持した時、安定点を持つように、楕円形状にしたことを特徴とする請求項３に示した商品の展示用支持装置
【請求項５】
前記プラスチック素材にみぞを付け光の一定方向への反射を抑えるように構成したことを特徴とする請求項１に示した商品の展示用支持装置
【発明の詳細な説明】
【技術分野】
【０００１】  本発明はゴルフクラブや釣具などの商品の展示用支持装置に関する。
【背景技術】
【０００２】  ゴルフクラブのアイアンクラブの展示用支持装置として、図６のような支持装置が知られている。６２は基幹部材、６４は水平アーム部材、６６は取り付ブラケットである。アイアンクラブは１０本がワンセットであり、これを一緒に並べて展示するためにアイアンクラブのシャフトを置く基幹部材は長くなり一定の強度が必要となるため鉄や鎮鋳やステンレスなどの金属素材で作られて来た。【０００３】  ゴルフクラブに限らず釣具などを含め、商品は客が展示用支持装置から外し、手に取って見ることが多い。ゴルフクラブなどの場合は、手に取った後試し振りを行い展示装置に戻すことになる。この時、客は店員が行うように丁寧に戻すとは限らない。そのため、展示装置の基幹部の金属にシャフトがぶつかり傷が付き、売り物にならないことがあった。【０００４】  そこで本願出願人はこの金属素材で作られた基幹部分にゴムの保護カバーをかぶせて素材部材とし、傷が付きにくいゴルフクラブ用の展示用支持装置を出願し、既に登録されている。（特許１７５７２７４）【０００５】  また、釣竿などの展示用支持装置でも展示効率を良くするために、一つの支持用の基幹部材に複数のフック穴を設けたものがあり、これなども強度との関係で金属素材で基幹部を作っている。ところが、釣竿も旧来の竹で作っていたものから、グラスファイバーで作るものに代わり、取り外しが粗雑になると、互いに傷つけることになった。
【特許文献１】特公平４−４２９２５
【発明の開示】
【発明が解決しようとする課題】
【０００６】  ゴルフクラブや釣用具に限らず、展示用支持装置に一般的に求められるものは、
▲１▼販売する商品が主役であり、商品を充分アピールするものであること
▲２▼装飾性があって、汚れや傷が付かず、保存性も良いこと
▲３▼コストが安いこと
▲４▼元の展示位置に戻し易いこと
以上のような点である。【０００７】  これらの点から考えたとき、金属を支持部のベースである基幹部材に使ったものは、傷の対策の上でどうしても特公平４−４２９２５のようにゴムなどの保護カバーを取り付けねばならないが、ゴムは長く使用すると劣化し、装飾性を損なうことになった。【０００８】  また、金属やゴムは光を通さない為商品そのものを一部隠したり、影を落とし、見えづらくすることになった。【０００９】従来の展示用支持装置のシャフトの懸架部は、略円形となっていたため支持装置に置いたゴルフクラブが一定方向に揃いづらかった。【００１０】  そこで本願では、課題を解決する為に展示用支持装置の基幹部材として金属素材に代えて、透明なプラスチックを用い、傷が付かないように考えた。もちろんその場合、金属に置き代えた基幹部材は一定の強度が必要となる。本願では、一定の強度を備えたプラスチックを用いること、更に、このプラスチックに強度を付与する為の工夫をすることを考えた。【００１１】  金属は強度や強靭性を付与するために合金（アロイ）化を計って来た。セラミックもまた多種類の無機物を混合したものである。プラスチックなどの有機高分子材料についても異なった性質をもつ高分子種の効果的な複合によって多成分系高分子材料が開発され、これらをポリマーアロイと呼んで来た。【００１２】  この中に、エンジニアリングプラスチックがあり、ポリアセタール、ポリアミドポリエステル、ｍ−ＰＤＥ、そしてポリカーボネイトを５大エンジニアリングプラスチックと呼んでいる。【００１３】  全体として、耐熱性にすぐれるとともに、機械的特性、耐薬品性、吸水性、形成性に特徴をもっていて、電気製品、自動車部品、産業資材、家庭用品などに特徴に応じて用いられてきた。【００１４】  そしてポリカーボネイトは、この５大エンジニアリングプラスチックの中では、唯一の透明材料であり、その特徴を生かし電気製品では、ＣＤ、ＤＶＤ、ＭＤなどに用いられ、自動車ではドアハンドルにも用いられてきた。また、航空機の窓にも用いられてきた。【００１５】  さらに、強度や耐熱性の上ではポリカーボネイトに若干劣るが、透明性の良いアクリル樹脂は電気製品では、レーザーディスク、自動車部品ではメーターカバーや照明カバーなどに用いられてきた。【００１６】  そこで本願では、これまで他産業分野の部品として使われてきたこうした透明性が高いプラスチックを展示用支持装置の支持部のベース、基幹部材として用い、このプラスチックで金属シャフトなどを受けるようにした。【００１７】  そして、その際強度面や成形性を考え、金属素材と組み合わせ補強を計るように考えた。【００１８】  また、展示用支持装置のシャフトの懸架部を楕円形状にし、懸架したゴルフクラブ等が一定方向に安定的に展示することにした。
【発明の効果】
【００１９】  従来のゴルフ用展示装置の場合、細巾長尺の基幹部材として、一定の強度を持たせるため、金属を用いてきたが、展示用商品を傷つけるということがあり、特公平４−４２９２５のようにゴム材などでこれを保護する場合、そのゴム材の劣化の問題もでた。一方で、プラスチックをこの基幹部材に用いようとするとどうしても強度が足りず、破損の問題も発生した。【００２０】  本願では、航空機の窓用素材として従来は用いられてきたポリカーボネイト素材が、その特性を生かした他用途に用いられるようになったチャンスを生かし、この細巾長尺の基幹部材にこれを使用した結果
▲１▼ゴルフクラブなどを展示物として支持しても、そのシャフト部分が傷つかない。
▲２▼細巾長尺の部材への利用であるが、強度的に充分機能を果たす。
▲３▼透明性が高いため従来の金属を用いたときの不透明素材に比べ、展示商品をユーザーの目から遮ることがないため、展示物自体を目立たせることができる。
▲４▼万一破損した時も普通のガラスのように割れて飛び散ることがないため、ユーザーが手に触れる展示用支持装置として、ユーザーの安全性も担保できる。
以上のような効果を生み出すことができた。【００２１】  また、本願では、補強用金属板をこの基幹部材のプラスチックに組み合わせて基幹部材の一部として用いたり、基幹部材の支持部間の間隔をクラブの大きさに合わせて縮め、支持部間を従来の等間隔から不等間隔とすることにより、長尺の長さを短くでき、強度の上で強化した。また、支持部の形状を従来の円形状から楕円形状とすることにより、展示物がより安定して展示できるようにもした。こうしたことにより、上述した効果を更に高めることができた。【００２２】  このように本願では、新素材と、新たな構造、組合せを提案することにより、展示物そのものをより目立たせ、店の展示管理も楽になる効果も産み出すことができた。
【発明を実施するための最良の形態】
【００２３】  以下本発明の具体的な実施に基づき、本発明を説明する。第１図は、本発明に基づく展示用支持装置の基幹部材の平面図（ａ）と一部断面図（ｂ）である。【００２４】  図１で（２）は、ポリカーボネイト基部材、（４）は補強用金属板、（６）は、補強用金属板の収納部（８）はシャフトの支持部（１０）は基部材（２）の固定締結部である。【００２５】  図１（ｂ）は、図１（ａ）のＡＡライン及びＢＢラインの断面図である。【００２６】  図１の展示用支持装置の基幹部材はポリカーボネイト基部材（２）と補強用金属板で作られ、この基部材（２）は細巾長尺の板状体の形状をもち、１セットのアイアンクラブを支持できる１０個の支持部（８）を備えている。【００２７】  横方向に長い形状であるが、ここでは略半分の長さの位置まで、補強用金属板（４）がこの基部材（２）の収納部（６）に収納され、強度的に補強している。この補強用金属板（４）の長さは基部材（２）の厚みなどと関連し、略１／３ぐらいに短くすることもできる。【００２８】  またこの基部材（２）の素材であるポリカーボネイトは、航空機の窓の素材としてこれまで使用されて来たように、弾性に富み、強靭性があり、ガラスのように粉々に割れない。自動車の強化ガラスのような割れ方をする。従って展示用支持装置として図１のように横長に用い、使用中に何らかの形で力がかかったり、衝撃がかかっても充分耐えられる。またそのように厚みなどの設計を行っている。【００２９】  展示するゴルフクラブのシャフトを支持する支持部（８）の形状は、従来の円形をベースにしたものではなく、楕円形状をベースとして作った。ここでは、楕円の中心軸が基部材（２）横軸に対し６０°傾斜するように作成し、この展示用支持装置に立てかけたアイアンクラブが安定点で一定方向で支持されるようにしている。【００３０】  またアイアンクラブの形状が、それぞれ異なるため、この支持部（８）の穴位置の間隔をアイアンクラブの種類によって異なるようにした。ここでは、Ｌ１、Ｌ２、Ｌ３、Ｌ４、Ｌ５の長さがそれぞれ異なるようにした。【００３１】  アイアンクラブのＬ１〜Ｌ５の長さについて、支持部間を従来の等間隔から不等間隔とすることにより、縮め長尺の長さを短くし、強度の上で強化した。また、支持部の形状を従来の円形状から楕円形状とすることにより、展示物がより安定して展示できるようにもした。こうした【００３２】  図１（ｂ）のＡ−Ａ断面は、補強用の金属板（４）を取り除いたときの断面図であり、この金属板（４）が収納される収納部（６）はこのカーボネイト基部材（２）に挟まれるように構成されている。【００３３】  図２及び図３は、本発明による展示用支持装置の実際に作成した写真図である。（１２）はポリカーボネイト基部材、（１４）は金属補強板であり、図２はこの金属補強板（１４）を基部材に挿入する前のそれぞれ別体となっている写真で、図３はポリカーボネイト基部材（１２）にこの金属補強板（１４）を挿入した時の写真である。【００３４】  図４は、本発明による他の実施例で、一方向からの光の反射によってユーザーの目に反射し、展示物が見えづらくならないようにした展示用支持装置の一例である。【００３５】  図４（ａ）は、��の基幹部材であるポリカーボネイト基部材（１６）の平面図であり、図４（ｂ）は側面図、図４（ｃ）は断面図である。【００３６】  ここでは、ポリカーボネイト基部材（１６）の長尺方向に平行に複数本の溝（ｍ１〜ｍ６）を作り、光の反射がランダムに行え、全体として一方向への反射を避けるようにした。【００３７】  溝は、断面図（Ｃ）で見るようにＢ−Ｂ断面ではポリカーボネイト基部材（１６）の表面にｍ１〜ｍ６の６本の溝が入り、同様に裏面にも同様の溝を作っている。【００３８】  Ａ−Ａ断面では、補強用金属板の収納部を外に溝がｍ２〜ｍ４のように入っている。【００３９】  補強用金属板（図示せず）については、ポリカーボネイト基部材（１６）の収納部に挿入すれば、基部材（１６）に設けた自動結合部（２０，２２）の働きと先端収納部（２４）の働きによって、固定される。挿入された補強用金属板の先端は、この先端収納部（２４）に収まり１方向でネジ止め部で締結されるため細巾の巾方向（平面図面下部方向）にはみ出すことはない。また自動結合部のポリカーボネイトの弾性によって、挿入した補強用金属板を一定位置に固定するようにしているため、ポリカーボネイト基部材（１６）と補強用金属板は一体のように結合することができる。【００４０】  図５は、本願発明による展示用支持装置に実際にアイアンクラブを展示支持したときの概観図の１実施例である。【００４１】  図５で、（２８）は、展示用支持装置の基幹部材で、（２９）はポリカーボネイト基部材。（３０）は補強用金属板、（３２）は締結治具、（３４）は水平アーム部材、（３６）はアイアンゴルフクラブである。【００４２】  展示用支持装置の基幹部材（２８）はポリカーボネイト基部材（２９）で出来ている。この基部材（２９）は、アイアンクラブの種別を考え支持部（３８）をもつが、この支持部（３８）の他合計１０個の支持部をクラブ形状を考え、不等間隔に設けている。【００４３】  このため、従来等間隔で作っていた展示用支持装置の基幹部材に比べ約１／１０前後長尺寸法を短く出来ている。この分強度的に強くなっている。【００４４】  また、支持部（３８）の基本形状は楕円形状にしているためクラブを展示支持した時、安定性がよい。【００４５】  展示用支持装置の基幹部材（２８）のポリカーボネイト基部材（２９）は、細巾長尺の横長となっているが、補強用金物板（３０）をこの基部材（２９）に挿入し、補強しつつ、締付ネジ（３２）でとめ、なおかつ、この展示用支持装置（２８）を水平アーム部材（３４）に取付ネジ（４０）で取付けている。【００４６】  以上、この展示用支持装置（２８）にアイアンクラブを置けば、支持部がプラスチックでできているため、傷つくことがなく、その一方で強度的には補強用金属板を組み合わせるため、従来の金属板でこの基幹部材を作ったと同程度の強度がある。【００４７】  また、透明性が高い素材であるため展示物自体を目立たせることが可能であり、展示用支持装置としては、最適の条件を備えている。【００４８】  なお、以上説明してきた展示用支持装置は、ゴルフ用クラブ用の展示用支持装置として、かつ基幹部材としてポリカーボネイトを素材として用いてきたが、これに代えてアクリルを用い、その分巾を広くしたり、厚みを厚くして用いても良い。また、図７、図８のような釣具などの展示用支持装置や衣文掛けをかける展示用に応用して良い。なお、図１から図５に於いて具体的な実施例として示したものはあくまでも１実施例であり、本願発明はそれら実施例に示した形にとらわれるものではない。
【図面の簡単な説明】
【００４９】
【図１（ａ）】は本願発明による展示用支持装置の基幹部材の１実施例の平面図である。
【図１（ｂ）】は同じく１部断面図である。
【図２】は、本願発明による展示用支持装置の基幹部材の他の写真図であり、ポリカーボネイト基部材（１２）と補強用金属板（１４）が別体となっている。
【図３】は、図２と同じ写真図であり、ポリカーボネイト基部材に、補強用金属材（１４）が挿入され一体となっている。
【図４（ａ）】は、本発明による展示用支持装置の他の実施例で、ポリカーボネイト基部材に溝を入れたものの平面図である。
【図４（ｂ）】は、同じく側面図である。
【図４（ｃ）】は、同じく一部断面図である。
【図５】は、本願発明による展示用支持装置にアイアンクラブを支持した時の概観図である。
【図６】は、従来のアイアンクラブの展示用支持装置の実施例の概観図である。
【図７】は、本願発明を釣具用の展示用支持装置に応用した時の概観図である。
【図８】は、本願発明を、洋服などの展示用支持装置に応用したときの概観図である。
【図１】
2007244824.tif 000003
【図２】
2007244824.tif 000004
【図３】
2007244824.tif 000005
【図４】
2007244824.tif 000006
【図５】
2007244824.tif 000007
【図６】
2007244824.tif 000008
【図７】
2007244824.tif 000009
【図８】
2007244824.tif 000010